(57)【要約】【課題】複数の放射線管から異なる照射角度で放射線を照射する場合に、照射角度によらず放射線の到達線量が等しくなるよう補正することが可能なトモシンセシス撮影装置、トモシンセシス撮影装置の作動方法、トモシンセシス撮影装置の作動プログラムを提供する。【解決手段】乳房撮影装置は、複数の放射線管で構成される放射線源を備える。複数の放射線管は、放射線検出器の撮像面に対する放射線の照射角度が異なる複数の位置に配されている。補正部は、第１係数を用いて放射線の照射条件を補正することで、放射線検出器に到達する放射線の到達線量が照射角度によらず等しくなるよう補正する。第１係数は、乳房の圧迫厚に応じた、到達線量の照射角度による変化割合を示す係数であり、複数の放射線管毎に登録されている。設定部は、補正部において補正された照射条件を放射線源に設定する。【選択図】図１０
2020135973.tif 000002
【特許請求の範囲】
【請求項１】
被写体を透過した放射線を検出する放射線検出器であり、前記被写体の投影画像を撮像する撮像面を有する放射線検出器と、
前記撮像面に対する前記放射線の照射角度が異なる複数の位置に配された複数の放射線管で構成される放射線源と、
前記被写体の厚みに応じた、前記放射線検出器に到達する前記放射線の到達線量の前記照射角度による変化割合を示す第１係数であり、前記複数の放射線管毎に登録された第１係数を取得する取得部と、
前記第１係数を用いて前記放射線の照射条件を補正する補正部と、
前記補正部において補正された前記照射条件を前記放射線源に設定する設定部と、
を備えるトモシンセシス撮影装置。
【請求項２】
前記第１係数は、前記照射角度が基準の位置に配された放射線管から照射された放射線を受けて、前記放射線検出器が実際に出力した実測基準出力値を、前記第１係数の算出対象の放射線管から照射された放射線を受けて、前記放射線検出器が実際に出力した実測対象出力値で除算した値である請求項１に記載のトモシンセシス撮影装置。
【請求項３】
前記第１係数は、前記照射角度が基準の位置に配された放射線管から照射された放射線を受けて、前記放射線検出器が出力すると理論的に推定される理論基準出力値を、前記第１係数の算出対象の放射線管から照射された放射線を受けて、前記放射線検出器が出力すると理論的に推定される理論対象出力値で除算した値である請求項１に記載のトモシンセシス撮影装置。
【請求項４】
前記取得部は、前記複数の放射線管毎に登録された前記放射線の照射線量に関する第２係数を取得し、
前記補正部は、前記第１係数に加えて、前記第２係数を用いて前記照射条件を補正する請求項１から請求項３のいずれか１項に記載のトモシンセシス撮影装置。
【請求項５】
前記放射線管の経時劣化による前記照射線量の低下割合を用いて、前記第２係数を校正する校正部を備える請求項４に記載のトモシンセシス撮影装置。
【請求項６】
前記第２係数は、単位線量当たりの管電流照射時間積である請求項４または請求項５に記載のトモシンセシス撮影装置。
【請求項７】
前記補正部は、前記照射条件に含まれる管電流照射時間積を補正する請求項１から請求項６のいずれか１項に記載のトモシンセシス撮影装置。
【請求項８】
前記複数の位置は、前記放射線の焦点が、直線状または円弧状に、等しい間隔で並べられた位置である請求項１から請求項７のいずれか１項に記載のトモシンセシス撮影装置。
【請求項９】
前記被写体を乳房とする乳房撮影装置である請求項１から請求項８のいずれか１項に記載のトモシンセシス撮影装置。
【請求項１０】
被写体を透過した放射線を検出する放射線検出器であり、前記被写体の投影画像を撮像する撮像面を有する放射線検出器を備えるトモシンセシス撮影装置の作動方法であって、
前記撮像面に対する前記放射線の照射角度が異なる複数の位置に配された複数の放射線管で構成される放射線源を用い、
前記被写体の厚みに応じた、前記放射線検出器に到達する前記放射線の到達線量の前記照射角度による変化割合を示す第１係数であり、前記複数の放射線管毎に登録された第１係数を取得する取得ステップと、
前記第１係数を用いて前記放射線の照射条件を補正する補正ステップと、
前記補正ステップにおいて補正された前記照射条件を前記放射線源に設定する設定ステップと、
を備えるトモシンセシス撮影装置の作動方法。
【請求項１１】
被写体を透過した放射線を検出する放射線検出器であり、前記被写体の投影画像を撮像する撮像面を有する放射線検出器と、前記撮像面に対する前記放射線の照射角度が異なる複数の位置に配された複数の放射線管で構成される放射線源とを備えるトモシンセシス撮影装置の作動プログラムであって、
前記被写体の厚みに応じた、前記放射線検出器に到達する前記放射線の到達線量の前記照射角度による変化割合を示す第１係数であり、前記複数の放射線管毎に登録された第１係数を取得する取得部と、
前記第１係数を用いて前記放射線の照射条件を補正する補正部と、
前記補正部において補正された前記照射条件を前記放射線源に設定する設定部として、
コンピュータを機能させるトモシンセシス撮影装置の作動プログラム。
【発明の詳細な説明】
【技術分野】
【０００１】
本開示の技術は、トモシンセシス撮影装置、トモシンセシス撮影装置の作動方法、トモシンセシス撮影装置の作動プログラムに関する。
【背景技術】
【０００２】
放射線検出器に対して放射線管を複数の位置に移動させ、各位置において放射線管から放射線を照射するトモシンセシス撮影を行うトモシンセシス撮影装置が知られている。放射線管が移動される複数の位置は、例えば、放射線の焦点が、直線状または円弧状に、等しい間隔で並べられた位置である。こうしたトモシンセシス撮影により、放射線検出器の撮像面に対して異なる複数の照射角度で放射線が照射され、被写体に対する放射線の照射角度が異なる複数の投影画像が撮像される。そして、この複数の投影画像に基づいて、被写体の任意の断層面における断層画像が生成される。
【０００３】
特許文献１には、撮影時間を短縮化するために、１つの放射線管ではなく、複数の放射線管を備えたトモシンセシス撮影装置が記載されている。特許文献１に記載のトモシンセシス撮影装置は、予め記憶された管電流照射時間積（ｍＡｓ値ともいう）に関する係数を用いて、複数の放射線管の放射線の照射条件を補正することで、複数の放射線管から照射される放射線の照射線量を等しくしている。
【先行技術文献】
【特許文献】
【０００４】
【特許文献１】特開２０１０−１１９５０７号公報
【発明の概要】
【発明が解決しようとする課題】
【０００５】
例えば圧迫板で圧迫された乳房といった横方向に偏平な被写体を撮影する場合、被写体を放射線が透過する距離は、照射角度が大きくなるほど長くなる。つまり、照射角度が大きくなるほど、被写体内部における放射線の吸収が多くなる。このため、同じ照射条件下においては、放射線検出器に到達する放射線の到達線量は、照射角度が大きくなるほど小さくなる。したがって、複数の放射線管を備える場合は、放射線検出器に到達する放射線の到達線量が、各放射線管によって異なる。
【０００６】
本開示の技術は、複数の放射線管から異なる照射角度で放射線を照射する場合に、照射角度によらず放射線の到達線量が等しくなるよう補正することが可能なトモシンセシス撮影装置、トモシンセシス撮影装置の作動方法、トモシンセシス撮影装置の作動プログラムを提供することを目的とする。
【課題を解決するための手段】
【０００７】
上記目的を達成するために、本開示のトモシンセシス撮影装置は、被写体を透過した放射線を検出する放射線検出器であり、被写体の投影画像を撮像する撮像面を有する放射線検出器と、撮像面に対する放射線の照射角度が異なる複数の位置に配された複数の放射線管で構成される放射線源と、被写体の厚みに応じた、放射線検出器に到達する放射線の到達線量の照射角度による変化割合を示す第１係数であり、複数の放射線管毎に登録された第１係数を取得する取得部と、第１係数を用いて放射線の照射条件を補正する補正部と、補正部において補正された照射条件を放射線源に設定する設定部と、を備える。
【０００８】
第１係数は、照射角度が基準の位置に配された放射線管から照射された放射線を受けて、放射線検出器が実際に出力した実測基準出力値を、第１係数の算出対象の放射線管から照射された放射線を受けて、放射線検出器が実際に出力した実測対象出力値で除算した値であることが好ましい。
【０００９】
あるいは、第１係数は、照射角度が基準の位置に配された放射線管から照射された放射線を受けて、放射線検出器が出力すると理論的に推定される理論基準出力値を、第１係数の算出対象の放射線管から照射された放射線を受けて、放射線検出器が出力すると理論的に推定される理論対象出力値で除算した値であることが好ましい。
【００１０】
取得部は、複数の放射線管毎に登録された放射線の照射線量に関する第２係数を取得し、補正部は、第１係数に加えて、第２係数を用いて照射条件を補正することが好ましい。
【００１１】
放射線管の経時劣化による照射線量の低下割合を用いて、第２係数を校正する校正部を備えることが好ましい。
【００１２】
第２係数は、単位線量当たりの管電流照射時間積であることが好ましい。
【００１３】
補正部は、照射条件に含まれる管電流照射時間積を補正することが好ましい。
【００１４】
複数の位置は、放射線の焦点が、直線状または円弧状に、等しい間隔で並べられた位置であることが好ましい。
【００１５】
被写体を乳房とする乳房撮影装置であることが好ましい。
【００１６】
本開示のトモシンセシス撮影装置の作動方法は、被写体を透過した放射線を検出する放射線検出器であり、被写体の投影画像を撮像する撮像面を有する放射線検出器を備えるトモシンセシス撮影装置の作動方法であって、撮像面に対する放射線の照射角度が異なる複数の位置に配された複数の放射線管で構成される放射線源を用い、被写体の厚みに応じた、放射線検出器に到達する放射線の到達線量の照射角度による変化割合を示す第１係数であり、複数の放射線管毎に登録された第１係数を取得する取得ステップと、第１係数を用いて放射線の照射条件を補正する補正ステップと、補正ステップにおいて補正された照射条件を放射線源に設定する設定ステップと、を備える。
【００１７】
本開示のトモシンセシス撮影装置の作動プログラムは、被写体を透過した放射線を検出する放射線検出器であり、被写体の投影画像を撮像する撮像面を有する放射線検出器と、撮像面に対する放射線の照射角度が異なる複数の位置に配された複数の放射線管で構成される放射線源とを備えるトモシンセシス撮影装置の作動プログラムであって、被写体の厚みに応じた、放射線検出器に到達する放射線の到達線量の照射角度による変化割合を示す第１係数であり、複数の放射線管毎に登録された第１係数を取得する取得部と、第１係数を用いて放射線の照射条件を補正する補正部と、補正部において補正された照射条件を放射線源に設定する設定部として、コンピュータを機能させる。
【発明の効果】
【００１８】
本開示の技術によれば、複数の放射線管から異なる照射角度で放射線を照射する場合に、照射角度によらず放射線の到達線量が等しくなるよう補正することが可能なトモシンセシス撮影装置、トモシンセシス撮影装置の作動方法、トモシンセシス撮影装置の作動プログラムを提供することができる。
【図面の簡単な説明】
【００１９】
【図１】乳房撮影装置等を示す図である。
【図２】乳房撮影装置の装置本体を示す図である。
【図３】乳房の圧迫厚を測定する様子を示す図である。
【図４】放射線管を示す図である。
【図５】検出器収容部の部分を示す図である。
【図６】ＣＣ撮影の様子を示す図である。
【図７】ＭＬＯ撮影の様子を示す図である。
【図８】トモシンセシス撮影の様子を示す図である。
【図９】トモシンセシス撮影で得られた複数の投影画像から断層画像を生成する様子を示す図である。
【図１０】制御装置のブロック図である。
【図１１】第１係数テーブルを示す図である。
【図１２】第２係数テーブルを示す図である。
【図１３】第１係数を算出する様子を示す図である。
【図１４】第２係数を算出する第１のパターンを示す図である。
【図１５】第２係数を算出する第２のパターンを示す図である。
【図１６】第２係数を算出する様子を示す図である。
【図１７】第２係数を算出するために、線量計として電離箱を用いる場合を示す図である。
【図１８】第２係数を算出するために、線量計として円柱型半導体線量計を用いる場合を示す図である。
【図１９】第２係数を算出するために、冶具を用いる場合を示す図である。
【図２０】補正部の処理の概要を示す図であり、図２０Ａは、プレ撮影における照射条件の補正の様子を、図２０Ｂは、トモシンセシス撮影における照射条件の補正の様子を、それぞれ示す。
【図２１】補正部においてプレ撮影用ｍＡｓ値を算出する様子を示す図である。
【図２２】補正部においてトモシンセシス撮影用ｍＡｓ値を算出する様子を示す図である。
【図２３】乳房撮影装置の出荷前の処理手順を示すフローチャートである。
【図２４】乳房撮影装置のトモシンセシス撮影の手順を示すフローチャートである。
【図２５】第１係数および第２係数を用いて照射条件を補正した効果を示す図である。
【図２６】トータルｍＡｓ値を設定して、プレ撮影を行わずにトモシンセシス撮影を行う場合の照射条件の設定の仕方を示す図である。
【図２７】第２実施形態の第１係数を算出する様子を示す図である。
【図２８】第３実施形態における乳房撮影装置の出荷前の処理手順を示すフローチャートである。
【図２９】第３実施形態における乳房撮影装置の出荷後の処理手順を示すフローチャートである。
【図３０】実測初期出力値テーブルを示す図である。
【図３１】各放射線管の放射線の照射線量の低下割合を算出する様子を示す図である。
【図３２】低下割合を用いて第２係数を校正する様子を示す図である。
【図３３】放射線の焦点を、円弧状に、等しい間隔で並べた複数の位置に、放射線管を配した例を示す図である。
【図３４】手術用の撮影装置を示す図である。
【発明を実施するための形態】
【００２０】
［第１実施形態］
図１および図２において、本開示の技術に係る「トモシンセシス撮影装置」の一例である乳房撮影装置１０は、被検者Ｈの乳房Ｍを被写体とする。乳房撮影装置１０は、乳房ＭにＸ線、γ線といった放射線３７（図４等参照）を照射して、乳房Ｍの放射線画像を撮影する。
【００２１】
乳房撮影装置１０は、装置本体１１と制御装置１２とで構成される。装置本体１１は、例えば医療施設の放射線撮影室に設置される。制御装置１２は、例えば放射線撮影室の隣室の制御室に設置される。制御装置１２は、ＬＡＮ（Ｌｏｃａｌ  Ａｒｅａ  Ｎｅｔｗｏｒｋ）等のネットワーク１３を介して、画像データベース（以下、ＤＢ；Ｄａｔａ  Ｂａｓｅ）サーバ１４と通信可能に接続されている。画像ＤＢサーバ１４は、例えば、ＰＡＣＳ（Ｐｉｃｔｕｒｅ  Ａｒｃｈｉｖｉｎｇ  ａｎｄ  Ｃｏｍｍｕｎｉｃａｔｉｏｎ  Ｓｙｓｔｅｍ）サーバであり、乳房撮影装置１０から放射線画像を受信し、放射線画像を蓄積管理する。
【００２２】
ネットワーク１３には、端末装置１５も接続されている。端末装置１５は、例えば、放射線画像に基づく診療を行う医師が使用するパーソナルコンピュータである。端末装置１５は、画像ＤＢサーバ１４から放射線画像を受信し、放射線画像をディスプレイに表示する。
【００２３】
装置本体１１は、スタンド２０とアーム２１とを有する。スタンド２０は、放射線撮影室の床面に設置される台座２０Ａと、台座２０Ａから高さ方向に延びる支柱２０Ｂとで構成される。アーム２１は横から見た形状が略Ｃ字状であり、接続部２１Ａを介して、支柱２０Ｂに接続されている。この接続部２１Ａにより、アーム２１は支柱２０Ｂに対して高さ方向に移動可能で、被検者Ｈの身長に応じた高さ調節が可能となっている。また、アーム２１は、接続部２１Ａを貫く、支柱２０Ｂに垂直な回転軸回りに回転可能である。
【００２４】
アーム２１は、線源収容部２２、検出器収容部２３、および本体部２４で構成される。線源収容部２２は放射線源２５を収容する。検出器収容部２３は放射線検出器２６を収容する。また、検出器収容部２３は、乳房Ｍが載せられる撮影台としても機能する。本体部２４は、線源収容部２２と検出器収容部２３とを一体的に接続する。線源収容部２２は高さ方向の上側に配されており、検出器収容部２３は、線源収容部２２と対向する姿勢で、高さ方向の下側に配されている。
【００２５】
放射線源２５は、複数、例えば１５個の放射線管２７と、放射線管２７を収容するハウジング２８とで構成される。放射線管２７は、乳房Ｍに対する照射角度が異なる複数の投影画像を放射線画像として撮影するトモシンセシス撮影に用いられる。また、放射線管２７の中の１つは、トモシンセシス撮影に先立って行われる、トモシンセシス撮影の放射線３７の照射条件を設定するためのプレ撮影に用いられる。放射線検出器２６は、乳房Ｍを透過した放射線３７を検出して放射線画像を出力する。なお、放射線管２７の個数は、上記例の１５個に限らない。
【００２６】
本体部２４の線源収容部２２と検出器収容部２３との間には、圧迫板２９が取り付けられている。圧迫板２９は、放射線３７を透過する材料で形成されている。圧迫板２９は、検出器収容部２３と対向配置されている。圧迫板２９は、検出器収容部２３に向かう方向と検出器収容部２３から離間する方向とに移動可能である。圧迫板２９は、検出器収容部２３に向かって移動して、検出器収容部２３との間で乳房Ｍを挟み込んで圧迫する。
【００２７】
線源収容部２２の正面下部には、フェイスガード３０が取り付けられている。フェイスガード３０は、被検者Ｈの顔を放射線３７から防護する。
【００２８】
支柱２０Ｂ内には、放射線管２７に印加する管電圧を発生する管電圧発生器（図示せず）が設けられている。また、支柱２０Ｂ内には、管電圧発生器から延びる電圧ケーブル（図示せず）が配設されている。電圧ケーブルは、さらに接続部２１Ａからアーム２１を通って線源収容部２２内に導入され、放射線源２５に接続される。
【００２９】
図３において、圧迫板２９には、乳房Ｍの圧迫厚Ｔｈを測定する測定センサ３３が接続されている。測定センサ３３は、支柱２０Ｂに内蔵され、検出器収容部２３からの圧迫板２９の高さを圧迫厚Ｔｈとして測定するリニアポテンショメータ等である。測定センサ３３は、例えば１ｍｍ刻みで圧迫厚Ｔｈを測定する。なお、圧迫厚Ｔｈは、本開示の技術に係る「被写体の厚み」の一例である。
【００３０】
図４において、放射線管２７は、陰極３５と陽極３６とを有している。陰極３５は、電子を放出する。陽極３６は、電子が衝突することで放射線３７を発する。陰極３５と陽極３６とは、略円筒形状の真空のガラス管３８に収容されている。陰極３５は、電界放出現象を利用して、陽極３６に向けて電子線ＥＢを放出する電子放出源を有する電界放出型である。陽極３６は、回転機構により回転する回転陽極とは異なり、回転せずに位置が固定された固定陽極である。
【００３１】
陰極３５と陽極３６との間には、管電圧発生器からの管電圧が印加される。管電圧の印加により、陰極３５から陽極３６に向けて電子線ＥＢが放出される。そして、電子線ＥＢが衝突した陽極３６の点（以下、焦点）Ｆから、放射線３７が発せられる。
【００３２】
ハウジング２８には、放射線３７を透過する放射線透過窓３９が設けられている。陽極３６から発せられた放射線３７は、この放射線透過窓３９を通じて、ハウジング２８外に出射される。なお、ハウジング２８内は、絶縁油で満たされている。
【００３３】
放射線透過窓３９の高さ方向の下側には、照射野限定器４０（図１および図２では不図示）が設けられている。照射野限定器４０はコリメータとも呼ばれ、放射線検出器２６の撮像面４５（図５参照）における放射線３７の照射野を設定する。より詳しくは、照射野限定器４０は、放射線透過窓３９を透過した放射線３７を遮蔽する鉛等の複数枚の遮蔽板４１を有している。そして、この遮蔽板４１で画定される、例えば矩形状の照射開口の大きさを、遮蔽板４１を移動させて変更することで、放射線３７の照射野を設定する。
【００３４】
検出器収容部２３の部分を示す図５において、放射線検出器２６は撮像面４５を有する。撮像面４５は、乳房Ｍを透過した放射線３７を検出して乳房Ｍの投影画像を撮像する面である。より詳しくは、撮像面４５は、放射線３７を電気信号に変換する画素が二次元配列された二次元平面である。このような放射線検出器２６は、ＦＰＤ（Ｆｌａｔ  Ｐａｎｅｌ  Ｄｅｔｅｃｔｏｒ)と呼ばれる。放射線検出器２６は、放射線３７を可視光に変換するシンチレータを有し、シンチレータが発する可視光を電気信号に変換する間接変換型でもよいし、放射線３７を直接電気信号に変換する直接変換型でもよい。なお、以下では、撮像面４５の画素から出力された、放射線３７に応じた電気信号を、出力値という場合がある。
【００３５】
図６および図７は、乳房撮影装置１０における乳房Ｍの撮影方式を示す。図６は頭尾方向（ＣＣ；Ｃｒａｎｉｏｃａｕｄａｌ  ｖｉｅｗ）撮影、図７は内外斜位方向（ＭＬＯ；Ｍｅｄｉｏｌａｔｅｒａｌ  Ｏｂｌｉｑｕｅ  ｖｉｅｗ）撮影である。ＣＣ撮影は、検出器収容部２３と圧迫板２９とで、乳房Ｍを上下に挟み込んで圧迫して撮影する撮影方式である。この場合、放射線検出器２６は、投影画像としてＣＣ画像を出力する。対してＭＬＯ撮影は、検出器収容部２３と圧迫板２９とで、乳房Ｍを６０°程度の角度で斜めに挟み込んで圧迫して撮影する撮影方式である。この場合、放射線検出器２６は、投影画像としてＭＬＯ画像を出力する。なお、図６および図７では、簡単化のために１つの放射線管２７だけを図示している。また、図６および図７では、右の乳房Ｍを示しているが、もちろん左の乳房Ｍの撮影も可能である。
【００３６】
支柱２０Ｂ側から放射線源２５および放射線検出器２６を平面視した図８において、撮像面４５の法線方向をＺ方向、撮像面４５の辺に沿う方向をＸ方向、Ｚ方向およびＸ方向と直交する撮像面４５の奥行方向をＹ方向とする。放射線管２７は、撮像面４５に対する放射線３７の照射角度が異なる、計１５の位置ＳＰ１、ＳＰ２、・・・、ＳＰ１４、ＳＰ１５に配されている。各位置ＳＰ１〜ＳＰ１５における放射線管２７の放射線３７の焦点Ｆ１〜Ｆ１５は、直線状に、等しい間隔Ｄで並んでいる。また、Ｘ方向の撮像面４５の辺の中心点ＣＰから延びる撮像面４５の法線ＮＲに、位置ＳＰ８が配されている。位置ＳＰ８以外の他の位置は、法線ＮＲの左側に位置ＳＰ１〜ＳＰ７、法線ＮＲの右側に位置ＳＰ９〜ＳＰ１５というように、法線ＮＲに関して左右対称に設定されている。
【００３７】
ここで、位置ＳＰ１〜ＳＰ１５が設定される直線ＧＬは、放射線源２５および放射線検出器２６をＺ方向から平面視した場合に、Ｘ方向の撮像面４５の辺と平行な線である。そして、直線ＧＬは、Ｙ方向に関して、手前側（支柱２０Ｂとは反対側）にオフセットされている。また、焦点Ｆ１〜Ｆ１５の間隔Ｄは、完全に一致する場合に限らず、例えば±５％の誤差を許容する。
【００３８】
放射線３７の照射角度は、法線ＮＲと、各位置ＳＰ１〜ＳＰ１５における放射線管２７の放射線３７の焦点Ｆ１〜Ｆ１５と中心点ＣＰとを結んだ線とのなす角度である。図８では、位置ＳＰ１における焦点Ｆ１と中心点ＣＰとを結んだ線Ｌ１、および法線ＮＲと線Ｌ１とのなす角度である照射角度θ（１）を、一例として図示している。
【００３９】
符号Ψで示す角度は、トモシンセシス撮影の最大スキャン角度である。最大スキャン角度Ψは、位置ＳＰ１〜ＳＰ１５のうちの両端の位置ＳＰ１、ＳＰ１５で規定される。具体的には、最大スキャン角度Ψは、位置ＳＰ１における焦点Ｆ１と中心点ＣＰとを結んだ線Ｌ１と、位置ＳＰ１５における焦点Ｆ１５と中心点ＣＰとを結んだ線Ｌ１５とのなす角度である。
【００４０】
１回のトモシンセシス撮影においては、放射線管２７は、位置ＳＰ１の放射線管２７、位置ＳＰ２の放射線管２７、・・・、位置ＳＰ１４の放射線管２７、位置ＳＰ１５の放射線管２７というように、順に１つずつ駆動されて、乳房Ｍに向けて放射線３７を照射する。放射線検出器２６は、各位置ＳＰ１〜ＳＰ１５において照射された放射線３７をその都度検出し、各位置ＳＰ１〜ＳＰ１５における投影画像を出力する。トモシンセシス撮影は、図６で示したＣＣ撮影、および図７で示したＭＬＯ撮影の両撮影方式でそれぞれ行うことが可能である。なお、図６で示したＣＣ撮影、および図７で示したＭＬＯ撮影を単独で行う単純撮影の場合は、照射角度が０°の位置ＳＰ８に配された放射線管２７が用いられる。
【００４１】
図９に示すように、乳房撮影装置１０は、図８で示したトモシンセシス撮影で得られた、複数の位置ＳＰ１〜ＳＰ１５における複数の投影画像から、乳房Ｍの任意の断層面ＴＦ１〜ＴＦＮに対応する断層画像Ｔ１〜ＴＮを生成する。乳房撮影装置１０は、断層画像Ｔ１〜ＴＮの生成に、フィルタ補正逆投影法等の周知の方法を用いる。断層画像Ｔ１〜ＴＮは、各断層面ＴＦ１〜ＴＦＮのそれぞれに存在する構造物を強調した画像である。
【００４２】
図１０において、制御装置１２は、制御部５０、取得部５１、補正部５２、設定部５３、断層画像生成部５４、ストレージデバイス５５等を備えている。ストレージデバイス５５は、例えばハードディスクドライブである。ストレージデバイス５５には、第１係数テーブル６０、第２係数テーブル６１、および作動プログラム６２が記憶されている。
【００４３】
作動プログラム６２は、本開示の技術に係る「トモシンセシス撮影装置の作動プログラム」の一例である。作動プログラム６２を起動させると、制御装置１２のＣＰＵ（Ｃｅｎｔｒａｌ  Ｐｒｏｃｅｓｓｉｎｇ  Ｕｎｉｔ）は、メモリ６４等と協働して、上述の制御部５０、取得部５１、補正部５２、設定部５３、および断層画像生成部５４として機能する。なお、ＣＰＵ６３およびメモリ６４等は、本開示の技術に係る「コンピュータ」の一例である。
【００４４】
制御部５０は、放射線源２５および放射線検出器２６の動作を制御する。制御部５０には、プレ撮影制御部５０Ａとトモシンセシス撮影制御部５０Ｂとが設けられている。プレ撮影制御部５０Ａは、プレ撮影用放射線管２７Ｐを用いてプレ撮影を行わせる。プレ撮影用放射線管２７Ｐは、位置ＳＰ１〜ＳＰ１５に配された各放射線管２７のうちから選定された１つの放射線管である。プレ撮影制御部５０Ａは、プレ撮影用放射線管２７Ｐをプレ撮影用の照射条件にて駆動させ、プレ撮影用放射線管２７Ｐから放射線３７を照射させる。そして、これにより放射線検出器２６で検出された投影画像を、放射線検出器２６から補正部５２に出力させる。
【００４５】
取得部５１は、第１係数テーブル６０から第１係数を取得する。第１係数は圧迫厚Ｔｈに応じた値である。取得部５１には、測定センサ３３から圧迫厚Ｔｈが入力される。取得部５１は、測定センサ３３からの圧迫厚Ｔｈに対応した第１係数を、第１係数テーブル６０から取得する。また、取得部５１は、第２係数テーブル６１から第２係数を取得する。取得部５１は、取得した第１係数および第２係数を補正部５２に出力する。
【００４６】
補正部５２は、取得部５１からの第１係数および第２係数を用いて、プレ撮影用の照射条件を補正する。また、補正部５２は、プレ撮影における放射線検出器２６からの投影画像を画像解析して、トモシンセシス撮影用の照射条件を仮設定する。補正部５２は、取得部５１からの第１係数および第２係数を用いて、仮設定したトモシンセシス撮影用の照射条件を補正する。補正部５２は、補正した照射条件を設定部５３に出力する。
【００４７】
設定部５３は、補正部５２において補正された照射条件を放射線源２５に設定する。より詳しくは、設定部５３は、補正部５２からの補正されたプレ撮影用の照射条件をプレ撮影制御部５０Ａに出力することで、補正されたプレ撮影用の照射条件をプレ撮影用放射線管２７Ｐに設定する。また、設定部５３は、補正部５２からの補正されたトモシンセシス撮影用の照射条件をトモシンセシス撮影制御部５０Ｂに出力することで、補正されたトモシンセシス撮影用の照射条件を各放射線管２７に設定する。
【００４８】
照射条件は、放射線管２７に印加する管電圧と、管電流照射時間積である。管電流照射時間積は、文字通り、放射線管２７に流す管電流と放射線３７の照射時間との積である。また、照射条件は、照射角度が０°の位置ＳＰ８の放射線管２７の必要照射線量として表される場合がある。
【００４９】
補正部５２におけるトモシンセシス撮影用の照射条件の仮設定とは、例えば、乳房Ｍの厚みが比較的厚く、放射線検出器２６からの投影画像の濃度が所望のレベルよりも低かった場合に、管電流照射時間積を定格値から上げる、等である。こうしたプレ撮影に基づくトモシンセシス撮影の照射条件の仮設定を行うことで、トモシンセシス撮影で撮影される投影画像、さらには投影画像から生成される断層画像Ｔの濃度が、乳房Ｍの個体差によらず略一定レベルとなる。
【００５０】
トモシンセシス撮影制御部５０Ｂは、各位置ＳＰ１〜ＳＰ１５に配された各放射線管２７の全てを用いて、図８で示したトモシンセシス撮影を行わせる。具体的には、トモシンセシス撮影制御部５０Ｂは、設定部５３によって設定された照射条件にて各放射線管２７を駆動させ、各放射線管２７から乳房Ｍに順次放射線３７を照射させる。そして、これにより放射線検出器２６で検出された複数の投影画像を、放射線検出器２６から断層画像生成部５４に出力させる。
【００５１】
断層画像生成部５４は、図９で示したように、放射線検出器２６からの複数の投影画像に基づいて断層画像Ｔを生成する。断層画像生成部５４は、生成した断層画像Ｔを、ネットワーク１３を介して画像ＤＢサーバ１４に送信する。
【００５２】
図１１に示すように、第１係数テーブル６０は、第１係数Ｋｆｐ（ｉ、Ｔｈｊ）が、位置ＳＰ１〜ＳＰ１５に配された複数の放射線管２７毎に登録されたテーブルである。ｉは各放射線管２７を識別するための番号であり、位置ＳＰ１〜ＳＰ１５に対応した数１〜１５が各放射線管２７に割り当てられている。圧迫厚Ｔｈｊは、例えば１０ｍｍ〜８０ｍｍの範囲において１ｍｍ刻みで設定されている。ｊは各圧迫厚を識別するための番号である。圧迫厚Ｔｈｊが１０ｍｍ〜８０ｍｍの範囲において１ｍｍ刻みで設定される上記例の場合、ｊ＝１〜７１である。第１係数Ｋｆｐ（ｉ、Ｔｈｊ）は、圧迫厚Ｔｈｊに応じた、放射線３７の到達線量の照射角度による変化割合を示す係数である。
【００５３】
図１２に示すように、第２係数テーブル６１は、第２係数Ｋｍｄ（ｉ）が、位置ＳＰ１〜ＳＰ１５に配された複数の放射線管２７毎に登録されたテーブルである。第２係数Ｋｍｄ（ｉ）は、放射線３７の照射線量に関する係数である。
【００５４】
ここで、「照射線量」とは、放射線管２７から照射される放射線３７の線量である。「照射線量」は、理想的には、放射線管２７の直下において線量計で計測した線量である。一方、「到達線量」とは、放射線管２７から照射され、乳房Ｍを透過する等して、放射線検出器２６の撮像面４５に最終的に到達する放射線３７の線量である。このため、同じ照射条件下においては、当然ながら到達線量は照射線量よりも低い値となる。
【００５５】
第１係数Ｋｆｐ（ｉ、Ｔｈｊ）の算出は、乳房撮影装置１０の出荷前に実施される。より詳しくは図１３に示すように、第１係数Ｋｆｐ（ｉ、Ｔｈｊ）の算出は、各放射線管２７を放射線源２５に組み込んだ後、検出器収容部２３にファントム６５を載置して実施される。ファントム６５は、疑似的に乳房Ｍを表した模型であり、例えばアクリル樹脂製である。ファントム６５は、圧迫厚Ｔｈｊ毎に用意されている。
【００５６】
まず、照射角度が０°の位置ＳＰ８に配された放射線管２７から放射線３７を照射させ、これにより放射線検出器２６が実際に出力した実測基準出力値ＭＳＤｐ（８、Ｔｈｊ）を得る。照射角度が０°の位置ＳＰ８は、本開示の技術に係る「基準の位置」の一例である。なお、基準の位置は、照射角度が０°の位置ＳＰ８に限らない。所定の照射角度の範囲にある位置、例えば照射角度−１０°〜＋１０°の範囲にある位置を、基準の位置としてもよい。
【００５７】
同様にして、第１係数Ｋｆｐ（ｉ、Ｔｈｊ）の算出対象の放射線管２７から放射線３７を照射させ、これにより放射線検出器２６が実際に出力した実測対象出力値ＭＴＤｐ（ｉ、Ｔｈｊ）を得る。なお、実測基準出力値ＭＳＤｐ（８、Ｔｈｊ）および実測対象出力値ＭＴＤｐ（ｉ、Ｔｈｊ）は、放射線検出器２６からの全出力値の平均値、または放射線検出器２６の撮像面４５の特定の領域における出力値の平均値等である。特定の領域は、撮像面４５の中央の領域等である。
【００５８】
第１係数Ｋｆｐ（ｉ、Ｔｈｊ）は、実測基準出力値ＭＳＤｐ（８、Ｔｈｊ）を、実測対象出力値ＭＴＤｐ（ｉ、Ｔｈｊ）で除算することで算出される。こうして算出された第１係数Ｋｆｐ（ｉ、Ｔｈｊ）が、第１係数テーブル６０に登録されてストレージデバイス５５に記憶される。なお、第１係数Ｋｆｐ（ｉ、Ｔｈｊ）の計算方法からして当然ではあるが、照射角度が０°の位置ＳＰ８に配された放射線管２７の第１係数Ｋｆｐ（８、Ｔｈｊ）は１となる。
【００５９】
図１３では、ｊ＝１で、第１係数Ｋｆｐ（ｉ、Ｔｈｊ）の算出対象の放射線管２７が、位置ＳＰ１に配された放射線管２７であった場合（ｉ＝１）を例示している。また、実測基準出力値ＭＳＤｐ（８、Ｔｈ１）＝６１０で、実測対象出力値ＭＴＤｐ（１、Ｔｈ１）＝５００であった場合を例示している。この場合、第１係数Ｋｆｐ（１、Ｔｈ１）＝６１０／５００＝１．２２となる。
【００６０】
第２係数Ｋｍｄ（ｉ）の算出も、乳房撮影装置１０の出荷前に実施される。ただし、第２係数Ｋｍｄ（ｉ）の算出には、２つのパターンがある。第１のパターンは、図１４に示すように、各放射線管２７の第２係数Ｋｍｄ（ｉ）を算出した後（ステップＳＴ１０）、各放射線管２７を放射線源２５に組み込む（ステップＳＴ１１）方法である。第２のパターンは、図１５に示すように、第１のパターンとは逆に、各放射線管２７を放射線源２５に組み込んだ後（ステップＳＴ１１）、各放射線管２７の第２係数Ｋｍｄ（ｉ）を算出する（ステップＳＴ１０）方法である。
【００６１】
第１のパターン、第２のパターンのいずれの方法においても、第２係数Ｋｍｄ（ｉ）の算出の仕方は共通している。すなわち図１６に示すように、第２係数Ｋｍｄ（ｉ）の算出対象の放射線管２７に、第２係数算出用ｍＡｓ値を照射条件として設定する。そして、第２係数算出用ｍＡｓ値にて照射された放射線３７の線量を、線量計７０で計測する。
【００６２】
第２係数Ｋｍｄ（ｉ）は、第２係数算出用ｍＡｓ値を、線量計７０の計測線量で除算することで算出される。つまり、第２係数Ｋｍｄ（ｉ）は、単位線量当たりの管電流照射時間積である。こうして算出された第２係数Ｋｍｄ（ｉ）が、第２係数テーブル６１に登録されてストレージデバイス５５に記憶される。
【００６３】
図１６では、第２係数Ｋｍｄ（ｉ）の算出対象の放射線管２７が、位置ＳＰ１に配された放射線管２７であった場合（ｉ＝１）を例示している。また、第２係数算出用ｍＡｓ値＝１００で、計測線量＝９５．２であった場合を例示している。この場合、第２係数Ｋｍｄ（１）＝１００／９５．２≒１．０５となる。
【００６４】
図１４で示した、各放射線管２７の第２係数Ｋｍｄ（ｉ）を算出した後、各放射線管２７を放射線源２５に組み込む第１のパターンの場合、各放射線管２７を、線量計７０との位置関係が同じ位置にセットして、線量を計測する。線量計７０との位置関係が同じ位置とは、例えば、線量計７０の計測面と正対する、照射角度が０°の位置である。
【００６５】
対して、図１５で示した、各放射線管２７を放射線源２５に組み込んだ後、各放射線管２７の第２係数Ｋｍｄ（ｉ）を算出する第２のパターンの場合は、図１７〜図１９のいずれかに示す方法で線量を計測する。
【００６６】
図１７は、線量計として電離箱７０Ａを用いる場合である。この場合、電離箱７０Ａを回転させて、第２係数Ｋｍｄ（ｉ）の算出対象の放射線管２７に、電離箱７０Ａの計測面を正対させたうえで、線量を計測する。
【００６７】
図１８は、線量計として円柱型半導体線量計７０Ｂを用いる場合である。円柱型半導体線量計７０Ｂは、ＣＴ（Ｃｏｍｐｕｔｅｄ  Ｔｏｍｏｇｒａｐｈｙ）撮影装置に用いられる線量計であり、全方位に対して等しい感度を有する。このため、円柱型半導体線量計７０Ｂは、図１７で示した電離箱７０Ａのように、計測面を放射線管２７に正対させるために回転させる必要がない。
【００６８】
図１９は、できるだけ放射線管２７の直下で線量の計測を行うための冶具７５を用いる場合である。冶具７５は直方体状であり、底板７６の内壁面中央には線量計７０が取り付けられている。冶具７５の天板７７には取付穴７８が設けられている。この取付穴７８に、照射野限定器４０が着脱可能に取り付けられる。冶具７５の側板７９は、例えば数ｃｍ〜数十ｃｍの高さである。この場合、第２係数Ｋｍｄ（ｉ）の算出対象の放射線管２７の照射野限定器４０に冶具７５を取り付ける。そして、第２係数算出用ｍＡｓ値にて照射された放射線３７の線量を、線量計７０で計測する。なお、図１４で示した第１のパターンにおいて、冶具７５のような、放射線管２７の直下で線量の計測を行うための冶具を用いてもよい。
【００６９】
図２０に示すように、補正部５２は、第１係数Ｋｆｐ（ｉ、Ｔｈｊ）を用いて照射条件を補正する。また、補正部５２は、第１係数Ｋｆｐ（ｉ、Ｔｈｊ）に加えて、第２係数Ｋｍｄ（ｉ）を用いて照射条件を補正する。
【００７０】
図２０Ａは、プレ撮影における照射条件の補正の様子を示す。補正部５２は、下記式（Ａ）に示すようにプレ撮影用ｍＡｓ値ＰＢ（ｉ）を算出する。すなわち、補正部５２は、照射条件に含まれる管電流照射時間積を補正する。
ＰＢ（ｉ）＝ＰＤｆ０×Ｋｆｐ（ｉ、Ｔｈｊ）×Ｋｍｄ（ｉ）・・・（Ａ）
なお、ＰＤｆ０は、予め設定されたプレ撮影用の照射条件であり、照射角度が０°の位置ＳＰ８に配された放射線管２７がプレ撮影用放射線管２７Ｐであった場合の必要照射線量である。
【００７１】
図２０Ｂは、トモシンセシス撮影における照射条件の補正の様子を示す。補正部５２は、下記式（Ｂ）に示すようにトモシンセシス撮影用ｍＡｓ値ＴＢ（ｉ）を算出する。すなわち、補正部５２は、照射条件に含まれる管電流照射時間積を補正する。
ＴＢ（ｉ）＝ＴＤｆ０×Ｋｆｐ（ｉ、Ｔｈｊ）×Ｋｍｄ（ｉ）・・・（Ｂ）
なお、ＴＤｆ０は、プレ撮影の結果を踏まえて仮設定されたトモシンセシス撮影用の照射条件であり、照射角度が０°の位置ＳＰ８に配された放射線管２７の、トモシンセシス撮影における必要照射線量である。
【００７２】
図２１に示すように、取得部５１は、プレ撮影用放射線管２７Ｐの番号および測定センサ３３からの圧迫厚Ｔｈに対応した第１係数Ｋｆｐ（ｉ、Ｔｈｊ）を、第１係数テーブル６０から取得する。また、取得部５１は、プレ撮影用放射線管２７Ｐの番号に対応した第２係数Ｋｍｄ（ｉ）を、第２係数テーブル６１から取得する。補正部５２は、取得部５１からの第１係数Ｋｆｐ（ｉ、Ｔｈｊ）および第２係数Ｋｍｄ（ｉ）と、予め設定されたプレ撮影用の照射条件ＰＤｆ０とを乗算することで、プレ撮影用ｍＡｓ値ＰＢ（ｉ）を算出する。
【００７３】
図２１では、プレ撮影用放射線管２７Ｐが位置ＳＰ１に配された放射線管２７で、圧迫厚がＴｈ２、プレ撮影用の照射条件ＰＤｆ０＝５０の場合を例示している。この場合、Ｋｆｐ（１、Ｔｈ２）＝１．２３、Ｋｍｄ（１）＝１．０５である。このため、プレ撮影用ｍＡｓ値ＰＢ（１）は、
ＰＢ（１）＝ＰＤｆ０×Ｋｆｐ（１、Ｔｈ２）×Ｋｍｄ（１）
＝５０×１．２３×１．０５
≒６４．５８
となる。
【００７４】
なお、図２１の例では、プレ撮影用放射線管２７Ｐを、位置ＳＰ１に配された放射線管２７としたが、これに限定されない。照射角度が０°の位置ＳＰ８に配された放射線管２７を、プレ撮影用放射線管２７Ｐとしてもよい。この場合、照射角度が０°の位置ＳＰ８に配された放射線管２７の第１係数Ｋｆｐ（８、Ｔｈｊ）＝１であるので、式（Ａ）は下記式（Ｃ）に書き換えられる。
ＰＢ（８）＝ＰＤｆ０×Ｋｍｄ（８）・・・（Ｃ）
【００７５】
図２２に示すように、取得部５１は、放射線管２７の番号および測定センサ３３からの圧迫厚Ｔｈに対応した第１係数Ｋｆｐ（ｉ、Ｔｈｊ）を、第１係数テーブル６０から取得する。また、取得部５１は、放射線管２７の番号に対応した第２係数Ｋｍｄ（ｉ）を、第２係数テーブル６１から取得する。補正部５２は、取得部５１からの第１係数Ｋｆｐ（ｉ、Ｔｈｊ）および第２係数Ｋｍｄ（ｉ）と、プレ撮影の結果を踏まえて仮設定されたトモシンセシス撮影用の照射条件ＴＤｆ０とを乗算することで、トモシンセシス撮影用ｍＡｓ値ＴＢ（ｉ）を算出する。
【００７６】
図２２では、放射線管２７が位置ＳＰ２に配された放射線管で、圧迫厚がＴｈ３、トモシンセシス撮影用の照射条件ＴＤｆ０＝２００の場合を例示している。この場合、Ｋｆｐ（２、Ｔｈ３）＝１．２２、Ｋｍｄ（２）＝１．２である。このため、トモシンセシス撮影用ｍＡｓ値ＴＢ（２）は、
ＴＢ（２）＝ＴＤｆ０×Ｋｆｐ（２、Ｔｈ３）×Ｋｍｄ（２）
＝２００×１．２２×１．２
＝２９２．８
となる。
【００７７】
次に、上記構成による作用について、図２３および図２４に示すフローチャートを参照して説明する。まず、図２３に示すように、乳房撮影装置１０の出荷前に、図１３で示したように第１係数Ｋｆｐ（ｉ、Ｔｈｊ）が算出される（ステップＳＴ１００）。算出された第１係数Ｋｆｐ（ｉ、Ｔｈｊ）は、第１係数テーブル６０に登録されてストレージデバイス５５に記憶される（ステップＳＴ１１０）。なお、テーブル形式ではなく関数形式で第１係数Ｋｆｐ（ｉ、Ｔｈｊ）を記憶してもよい。
【００７８】
同様にして、乳房撮影装置１０の出荷前に、図１４〜図１９で示したように第２係数Ｋｍｄ（ｉ）が算出される（ステップＳＴ１２０）。算出された第２係数Ｋｍｄ（ｉ）は、第２係数テーブル６１に登録されてストレージデバイス５５に記憶される（ステップＳＴ１３０）。なお、第２係数Ｋｍｄ（ｉ）を算出、記憶した後、第１係数Ｋｆｐ（ｉ、Ｔｈｊ）を算出、記憶してもよい。
【００７９】
図２４に示すように、乳房撮影装置１０の第１撮影モードによるトモシンセシス撮影の手順は、ステップＳＴ２００の撮影準備作業から開始される。撮影準備作業は、放射線技師が行う作業であって、主に乳房Ｍのポジショニングに関わる作業である。例えば、撮影準備作業は、被検者Ｈを装置本体１１の前に誘導し、乳房Ｍを検出器収容部２３に載せ、圧迫板２９を検出器収容部２３に向かって移動させ、検出器収容部２３との間で乳房Ｍを挟み込んで圧迫する、といった作業を含む。撮影準備作業終了後、放射線技師によってトモシンセシス撮影の開始が指示される。
【００８０】
図２１で示したように、取得部５１によって、プレ撮影用放射線管２７Ｐの番号および測定センサ３３からの圧迫厚Ｔｈに対応した第１係数Ｋｆｐ（ｉ、Ｔｈｊ）が、第１係数テーブル６０から取得される。また、取得部５１によって、プレ撮影用放射線管２７Ｐの番号に対応した第２係数Ｋｍｄ（ｉ）が、第２係数テーブル６１から取得される（ステップＳＴ２１０、取得ステップ）。第１係数Ｋｆｐ（ｉ、Ｔｈｊ）および第２係数Ｋｍｄ（ｉ）は、取得部５１から補正部５２に出力される。
【００８１】
ステップＳＴ２２０に示すように、補正部５２によってプレ撮影用の照射条件が補正される（補正ステップ）。より詳しくは図２０Ａおよび図２１で示したように、取得部５１からの第１係数Ｋｆｐ（ｉ、Ｔｈｊ）および第２係数Ｋｍｄ（ｉ）を用いて、補正部５２によってプレ撮影用ｍＡｓ値ＰＢ（ｉ）が算出される。算出されたプレ撮影用ｍＡｓ値ＰＢ（ｉ）は、補正部５２から設定部５３に出力され、さらに設定部５３からプレ撮影制御部５０Ａに出力される。これにより、補正されたプレ撮影用の照射条件がプレ撮影用放射線管２７Ｐに設定される（ステップＳＴ２３０、設定ステップ）。続いてステップＳＴ２４０に示すように、プレ撮影制御部５０Ａにより、プレ撮影用ｍＡｓ値ＰＢ（ｉ）がプレ撮影用放射線管２７Ｐに与えられ、プレ撮影が行われる。
【００８２】
プレ撮影において放射線検出器２６から出力された投影画像は、補正部５２に入力される。補正部５２では、放射線検出器２６からの投影画像に基づいて、トモシンセシス撮影用の照射条件が仮設定される（ステップＳＴ２５０）。
【００８３】
図２２で示したように、取得部５１によって、放射線管２７の番号および測定センサ３３からの圧迫厚Ｔｈに対応した第１係数Ｋｆｐ（ｉ、Ｔｈｊ）が、第１係数テーブル６０から取得される。また、取得部５１によって、放射線管２７の番号に対応した第２係数Ｋｍｄ（ｉ）が、第２係数テーブル６１から取得される（ステップＳＴ２６０、取得ステップ）。第１係数Ｋｆｐ（ｉ、Ｔｈｊ）および第２係数Ｋｍｄ（ｉ）は、取得部５１から補正部５２に出力される。
【００８４】
補正部５２において、仮設定されたトモシンセシス撮影用の照射条件が補正される（ステップＳＴ２７０、補正ステップ）。より詳しくは図２０Ｂおよび図２２で示したように、取得部５１からの第１係数Ｋｆｐ（ｉ、Ｔｈｊ）および第２係数Ｋｍｄ（ｉ）を用いて、補正部５２によってトモシンセシス撮影用ｍＡｓ値ＴＢ（ｉ）が算出される。算出されたトモシンセシス撮影用ｍＡｓ値ＴＢ（ｉ）は、補正部５２から設定部５３に出力され、さらに設定部５３からトモシンセシス撮影制御部５０Ｂに出力される。これにより、補正されたトモシンセシス撮影用の照射条件が各放射線管２７に設定される（ステップＳＴ２８０、設定ステップ）。続いてステップＳＴ２９０に示すように、トモシンセシス撮影制御部５０Ｂにより、トモシンセシス撮影用ｍＡｓ値ＴＢ（ｉ）が各放射線管２７に与えられ、図８で示したトモシンセシス撮影が行われる。
【００８５】
トモシンセシス撮影において放射線検出器２６から出力された投影画像は、断層画像生成部５４に出力される。断層画像生成部５４では、図９で示したように、放射線検出器２６からの投影画像に基づいて、断層画像Ｔが生成される（ステップＳＴ３００）。生成された断層画像Ｔは、断層画像生成部５４から画像ＤＢサーバ１４に送信される。
【００８６】
補正部５２により、放射線３７の到達線量の照射角度による変化割合を示す第１係数Ｋｆｐ（ｉ、Ｔｈｊ）を用いて照射条件を補正するので、複数の放射線管２７から異なる照射角度で放射線３７を照射する場合に、照射角度によらず放射線３７の到達線量が等しくなるよう補正することが可能となる。また、補正部５２により、複数の放射線管２７毎の放射線３７の照射線量に関する第２係数Ｋｍｄ（ｉ）を用いて照射条件を補正するので、複数の放射線管２７の個体差によらず、放射線３７の照射線量が等しくなるよう補正することが可能となる。
【００８７】
より詳しくは図２５に示すように、補正前は、放射線３７の到達線量の照射角度による変化、および複数の放射線管２７の個体差による放射線３７の照射線量の変化が原因で、各放射線管２７による放射線検出器２６の出力値が異なる値であったものが、補正後は、各放射線管２７による放射線検出器２６の出力値が等しい値となる。
【００８８】
こうして第１係数Ｋｆｐ（ｉ、Ｔｈｊ）を用いて放射線３７の到達線量が等しくなるよう補正することで、プレ撮影においては、プレ撮影用放射線管２７Ｐがどの放射線管２７であっても、大体同じ結果を得ることができる。また、トモシンセシス撮影においては、投影画像の画質が大体揃う。したがって、投影画像に基づいて生成される断層画像Ｔの画質を向上させることができる。
【００８９】
また、第２係数Ｋｍｄ（ｉ）を用いて放射線３７の照射線量が等しくなるよう補正することで、プレ撮影用放射線管２７Ｐがどの放射線管２７かに関わらず、プレ撮影の結果を同じにすることができる。また、断層画像Ｔの画質をより向上させることができる。
【００９０】
なお、第２係数Ｋｍｄ（ｉ）を用いた補正は必須ではない。しかし、第２係数Ｋｍｄ（ｉ）を用いた補正を行うことで上記のように効果が増すため、第２係数Ｋｍｄ（ｉ）を用いた補正を行ったほうが好ましい。
【００９１】
第２係数Ｋｍｄ（ｉ）を用いた補正を行わない場合は、上記式（Ａ）は下記式（Ｄ）に、上記式（Ｂ）は下記式（Ｅ）に、それぞれ書き換えられる。
ＰＢ（ｉ）＝ＰＤｆ０×Ｋｆｐ（ｉ、Ｔｈｊ）・・・（Ｄ）
ＴＢ（ｉ）＝ＴＤｆ０×Ｋｆｐ（ｉ、Ｔｈｊ）・・・（Ｅ）
【００９２】
第１係数Ｋｆｐ（ｉ、Ｔｈｊ）は、照射角度が基準の位置に配された放射線管２７から照射された放射線３７を受けて、放射線検出器２６が実際に出力した実測基準出力値ＭＳＤｐ（ｉ、Ｔｈｊ）を、第１係数Ｋｆｐ（ｉ、Ｔｈｊ）の算出対象の放射線管２７から照射された放射線３７を受けて、放射線検出器２６が実際に出力した実測対象出力値ＭＴＤｐ（ｉ、Ｔｈｊ）で除算した値である。実際の出力値を用いるので、信頼性の高い第１係数Ｋｆｐ（ｉ、Ｔｈｊ）を算出することができる。
【００９３】
放射線管２７は、放射線３７の焦点Ｆ１〜Ｆ１５が、直線状に、等しい間隔Ｄで並べられた複数の位置ＳＰ１〜ＳＰ１５に配されている。こうして焦点Ｆ１〜Ｆ１５の配置位置ＳＰ１〜ＳＰ１５に規則性が確保されているため、断層画像Ｔの生成に係る処理を簡便に済ませることができる。
【００９４】
なお、プレ撮影を行い、プレ撮影の結果を踏まえた照射条件にてトモシンセシス撮影を行うのではなく、プレ撮影を行わずにトモシンセシス撮影を行ってもよい。この場合、乳房撮影装置１０を操作する放射線技師によって、制御装置１２にトータルｍＡｓ値が設定される。トータルｍＡｓ値とは、複数の放射線管２７を１つの放射線管と見立てた場合に、当該１つの放射線管に対して、トモシンセシス撮影において与えるｍＡｓ値である。
【００９５】
トータルｍＡｓ値を設定して、プレ撮影を行わずにトモシンセシス撮影を行う場合における照射条件の設定の仕方は、図２６に示すようになる。
【００９６】
図２６において、補正部５２は、表８０に示すように、ＴＤｆ０に適当な値を代入して、仮のトモシンセシス撮影用ｍＡｓ値ＴＢ（ｉ）＿Ｐを算出しておく。また、補正部５２は、仮のトモシンセシス撮影用ｍＡｓ値ＴＢ（ｉ）＿Ｐの総和を算出しておく。
【００９７】
補正部５２は、トータルｍＡｓ値を仮のトモシンセシス撮影用ｍＡｓ値ＴＢ（ｉ）＿Ｐの総和で除算する。そして、さらに仮のトモシンセシス撮影用ｍＡｓ値ＴＢ（ｉ）＿Ｐを乗算することで、トモシンセシス撮影用ｍＡｓ値ＴＢ（ｉ）を算出する。
【００９８】
図２６では、トータルｍＡｓ値が１２０、仮のトモシンセシス撮影用ｍＡｓ値ＴＢ（ｉ）＿Ｐの総和が３６０であった場合を例示している。この場合、例えば位置ＳＰ２に配された放射線管２７のトモシンセシス撮影用ｍＡｓ値ＴＢ（１）は、仮のトモシンセシス撮影用ｍＡｓ値ＴＢ（２）＿Ｐ＝２７であるため、
ＴＢ（２）＝（１２０／３６０）×２７
＝９
となる。
【００９９】
このように、トータルｍＡｓ値を設定して、プレ撮影を行わずにトモシンセシス撮影を行う場合は、トータルｍＡｓ値を、補正されたトモシンセシス撮影用の照射条件である仮のトモシンセシス撮影用ｍＡｓ値ＴＢ（ｉ）＿Ｐに応じた割合にしたがって、各放射線管２７に分配する。
【０１００】
なお、トータルｍＡｓ値を設定して、プレ撮影を行わずにトモシンセシス撮影を行う場合の手順は、図２４で示したフローチャートにおいて、ステップＳＴ２１０〜ステップＳＴ２５０がなく、代わりに、トータルｍＡｓ値を設定するステップと、仮のトモシンセシス撮影用ｍＡｓ値ＴＢ（ｉ）＿Ｐおよびその総和を算出するステップとが追加される点が異なるだけである。このため、トータルｍＡｓ値を設定して、プレ撮影を行わずにトモシンセシス撮影を行う場合の手順は、図示および説明を省略する。
【０１０１】
［第２実施形態］
図２７に示す第２実施形態は、第１係数Ｋｆｐ（ｉ、Ｔｈｊ）の算出方法が第１実施形態と異なる。すなわち、第１実施形態では、実測基準出力値を実測対象出力値で除算することで、第１係数Ｋｆｐ（ｉ、Ｔｈｊ）を算出していた。対して第２実施形態では、理論基準出力値と理論対象出力値を用いて、第１係数Ｋｆｐ（ｉ、Ｔｈｊ）を算出する。
【０１０２】
理論基準出力値は、照射角度が基準の位置に配された放射線管２７から照射された放射線３７を受けて、放射線検出器２６が出力すると理論的に推定される出力値である。また、理論対象出力値は、第１係数Ｋｆｐ（ｉ、Ｔｈｊ）の算出対象の放射線管２７から照射された放射線３７を受けて、放射線検出器２６が出力すると理論的に推定される出力値である。
【０１０３】
理論出力値ＴＤｐ（ｉ、Ｔｈｊ）は、下記式（Ｆ）を計算することで算出することができる。
ＴＤｐ（ｉ、Ｔｈｊ）＝Ｄｆ（ｉ）×ｌ２÷Ｌ（ｉ）２×ｃｏｓθ（ｉ）×ｅｘｐ｛−μ×Ｔｈｊ÷ｃｏｓθ（ｉ）｝・・・（Ｆ）
なお、Ｄｆ（ｉ）は、番号ｉの放射線管２７の照射線量、ｌは、放射線管２７から照射線量Ｄｆ（ｉ）の計測位置までの距離、Ｌ（ｉ）は、番号ｉの放射線管２７から放射線検出器２６の撮像面４５の中心までの距離、θ（ｉ）は、番号ｉの放射線管２７の照射角度、μは、ファントム６５の放射線３７の吸収係数である。Ｄｆ（ｉ）は、例えば図１７〜図１９で示した方法で計測することができる。ｌ、Ｌ（ｉ）もメジャー等で計測可能である。また、θ（ｉ）、μは既知の値である。したがって、理論出力値ＴＤｐ（ｉ、Ｔｈｊ）は、簡単な計算で求めることができる。
【０１０４】
ここでは、照射角度が０°の位置ＳＰ８に配された放射線管２７から照射された放射線３７を受けて、放射線検出器２６が出力すると理論的に推定される理論出力値ＴＤｐ（８、Ｔｈｊ）を、理論基準出力値ＴＳＤｐとする。照射角度が０°の位置ＳＰ８は、本開示の技術に係る「基準の位置」の一例である。なお、上記第１実施形態と同じく、基準の位置は、照射角度が０°の位置ＳＰ８に限らない。所定の照射角度の範囲にある位置、例えば照射角度−１０°〜＋１０°の範囲にある位置を、基準の位置としてもよい。
【０１０５】
理論基準出力値ＴＳＤｐ（８、Ｔｈｊ）は、式（Ｄ）のθ（ｉ）に０°を代入した下記式（Ｅ）で表される。
ＴＳＤｐ（８、Ｔｈｊ）＝Ｄｆ（ｉ）×ｌ２÷Ｌ（ｉ）２×ｅｘｐ（−μ×Ｔｈｊ）・・・（Ｅ）
【０１０６】
第１係数Ｋｆｐ（ｉ、Ｔｈｊ）は、理論基準出力値ＴＳＤｐ（８、Ｔｈｊ）を、理論対象出力値ＴＴＤｐ（ｉ、Ｔｈｊ）で除算することで算出される。
【０１０７】
図２７では、ｊ＝２で、第１係数Ｋｆｐ（ｉ、Ｔｈｊ）の算出対象の放射線管２７が、位置ＳＰ１に配された放射線管２７であった場合（ｉ＝１）を例示している。また、理論基準出力値ＴＳＤｐ（８、Ｔｈ２）＝６１５で、理論対象出力値ＴＴＤｐ（１、Ｔｈ２）＝５００であった場合を例示している。この場合、第１係数Ｋｆｐ（１、Ｔｈ１）＝６１５／５００＝１．２３となる。
【０１０８】
このように、第２実施形態では、照射角度が基準の位置に配された放射線管２７から照射された放射線３７を受けて、放射線検出器２６が出力すると理論的に推定される理論基準出力値ＴＳＤｐ（ｉ、Ｔｈｊ）を、第１係数Ｋｆｐ（ｉ、Ｔｈｊ）の算出対象の放射線管２７から照射された放射線３７を受けて、放射線検出器２６が出力すると理論的に推定される理論対象出力値ＴＴＤｐ（ｉ、Ｔｈｊ）で除算して、第１係数Ｋｆｐ（ｉ、Ｔｈｊ）を算出している。このため、放射線検出器２６の実際の出力値を解析する必要がない。
【０１０９】
［第３実施形態］
図２８〜図３２に示す第３実施形態では、放射線管２７の経時劣化による照射線量の低下割合を用いて、第２係数Ｋｍｄ（ｉ）を校正する。
【０１１０】
第３実施形態では、図２８のフローチャートに示すように、まず、乳房撮影装置１０の出荷前に、検出器収容部２３に何も載置されていない素抜けの状態で各放射線管２７から放射線３７を照射させる（ステップＳＴ５００）。そして、各放射線管２７から照射された放射線３７を受けて、放射線検出器２６が実際に出力した実測出力値を、実測初期出力値としてストレージデバイス５５に記憶させる（ステップＳＴ５１０）。図３０は、こうしてストレージデバイス５５に記憶された実測初期出力値テーブル９０を示す。
【０１１１】
図２９のフローチャートに示すように、出荷後の乳房撮影装置１０において、設定期間が経過（ステップＳＴ６００でＹＥＳ）する毎に、ステップＳＴ５００と同じく、素抜けの状態で各放射線管２７から放射線３７を照射させる（ステップＳＴ６１０）。設定期間は、例えば半年または１年である。
【０１１２】
そして、ステップＳＴ５１０においてストレージデバイス５５に記憶された実測初期出力値と、ステップＳＴ６１０において放射線検出器２６が実際に出力した実測出力値である実測経過出力値とに基づいて、各放射線管２７の放射線３７の照射線量の低下割合を算出する（ステップＳＴ６２０）。具体的には図３１に示すように、実測経過出力値を実測初期出力値で除算することで、低下割合を算出する。
【０１１３】
ステップＳＴ６３０に示すように、算出した低下割合を用いて第２係数Ｋｍｄ（ｉ）を校正する。具体的には図３２に示すように、校正部１００は、各放射線管２７の第２係数Ｋｍｄ（ｉ）を、低下割合で除算することで、第２係数Ｋｍｄ（ｉ）を校正する。校正部１００は、校正した第２係数Ｋｍｄ（ｉ）が登録された校正第２係数テーブル１０１を、ストレージデバイス５５に記憶させる。補正部５２は、校正第２係数テーブル１０１に登録された第２係数Ｋｍｄ（ｉ）を用いて照射条件を補正する。
【０１１４】
このように、第３実施形態では、校正部１００によって、放射線管２７の経時劣化による照射線量の低下割合を用いて、第２係数Ｋｍｄ（ｉ）を校正する。このため、第２係数Ｋｍｄ（ｉ）から経時劣化の影響を排除することができる。
【０１１５】
放射線管２７は、新たに交換される場合がある。この場合、第１係数テーブル６０の第１係数Ｋｆｐ（ｉ、Ｔｈｊ）および第２係数テーブル６１の第２係数Ｋｍｄ（ｉ）は、新たに交換された放射線管２７の第１係数Ｋｆｐ（ｉ、Ｔｈｊ）および第２係数Ｋｍｄ（ｉ）に書き換えられる。
【０１１６】
上記各実施形態では、第２係数Ｋｍｄ（ｉ）を算出するために線量計７０を用いているが、放射線検出器２６を線量計７０として代用してもよい。この場合、放射線検出器２６からの出力値を、照射線量として扱う。
【０１１７】
第１係数テーブル６０および第２係数テーブル６１は、制御装置１２に接続された他の装置に記憶されていてもよい。例えば、複数台の装置本体１１を一括管理する管理装置のストレージデバイスに、複数台の装置本体１１に係る第１係数テーブル６０および第２係数テーブル６１を記憶させておいてもよい。この場合、取得部５１は、管理装置から送信された第１係数Ｋｆｐ（ｉ、Ｔｈｊ）および第２係数Ｋｍｄ（ｉ）を取得する。
【０１１８】
上記各実施形態では、焦点Ｆが配される位置を直線状としているが、これに限定されない。図３３に示すように、焦点Ｆ１〜Ｆ１５が配される複数の位置ＳＰ１〜ＳＰ１５を、円弧状に、等しい間隔Ｄで並べてもよい。こうした円弧状の配置によっても、直線状の場合と同じく、焦点Ｆ１〜Ｆ１５の配置位置ＳＰ１〜ＳＰ１５に規則性が確保されるため、断層画像Ｔの生成に係る処理を簡便に済ませることができる。
【０１１９】
図６で示したＣＣ撮影、および図７で示したＭＬＯ撮影を単独で行う単純撮影の代わりに、単純撮影で得られる放射線画像と等価な合成放射線画像を生成してもよい。合成放射線画像は、トモシンセシス撮影で得られた複数の投影画像、および断層画像生成部５４で生成した複数の断層画像Ｔのうちの少なくともいずれかに、最小値投影法等の周知の合成画像生成処理を施すことで生成される。
【０１２０】
上記各実施形態では、トモシンセシス撮影装置として乳房撮影装置１０を例示した。従来、乳房撮影装置１０においてトモシンセシス撮影を行うことは、乳房Ｍの微小石灰化等の病変の発見を容易にするための手法として有用性が認められている。したがって、本開示のトモシンセシス撮影装置を、乳房撮影装置１０に適用することは好ましい。
【０１２１】
もちろん、乳房撮影装置１０に限らず、本開示のトモシンセシス撮影装置を、他の撮影装置に適用してもよい。例えば、手術時に被検者Ｈを撮影する、図３４に示す撮影装置１５０に、本開示のトモシンセシス撮影装置を適用してもよい。
【０１２２】
撮影装置１５０は、制御装置（図示せず）を内蔵する装置本体１５１と、横から見た形状が略Ｃ字状のアーム１５２とを備えている。装置本体１５１には台車１５３が取り付けられ、装置本体１５１は移動可能となっている。アーム１５２は、線源収容部１５４、検出器収容部１５５、および本体部１５６で構成される。図１で示した乳房撮影装置１０と同じく、線源収容部１５４は放射線源１５７を収容する。また、検出器収容部１５５は放射線検出器１５８を収容する。線源収容部１５４と検出器収容部１５５とは、本体部１５６により対向した姿勢で保持される。
【０１２３】
放射線源１５７および放射線検出器１５８は、図１で示した放射線源２５および放射線検出器２６と基本的な構成は同じである。ただし、撮影装置１５０では、被検者Ｈの胸部全体等、乳房Ｍよりも大きな被写体を撮影する。このため、放射線源１５７を構成する放射線管１５９は、乳房撮影装置１０の各放射線管２７よりも径が大きい。また、放射線検出器１５８も、その撮像面１６０は、放射線検出器２６の撮像面４５よりも面積が大きい。なお、大きな被写体の撮影に対応するため、放射線管１５９の配列個数を増やしてもよい。
【０１２４】
検出器収容部１５５は、被検者Ｈが仰臥する寝台１６１の下方に挿入される。寝台１６１は放射線３７を透過する材料で形成されている。線源収容部１５４は、被検者Ｈの上方であって、被検者Ｈを挟んで検出器収容部１５５と対向する位置に配置される。
【０１２５】
撮影装置１５０では、乳房撮影装置１０と同じく、第１係数Ｋｆｐ（ｉ、Ｔｈｊ）を用いて、照射角度によらず到達線量が等しくなるよう補正する。なお、撮影装置１５０においても、トモシンセシス撮影の他に、１つの放射線管１５９を用いて単純撮影を行うことが可能である。また、単純撮影を行う代わりに合成放射線画像を生成することも可能である。さらに、撮影装置１５０は、静止画の放射線画像を撮影する他、動画の放射線画像を撮影することも可能である。なお、符号１６２は、放射線源１５７のハウジングである。
【０１２６】
本開示のトモシンセシス撮影装置は、こうした手術用の撮影装置１５０以外にも、天井吊り下げ型の放射線源と、放射線検出器がセットされる立位撮影台または臥位撮影台とを組み合わせた一般的な放射線撮影装置に適用することも可能である。また、病棟を巡回して被検者Ｈを撮影するために用いられる、カート型の移動式放射線撮影装置に、本開示のトモシンセシス撮影装置を適用することも可能である。
【０１２７】
上記各実施形態において、例えば、制御部５０（プレ撮影制御部５０Ａおよびトモシンセシス撮影制御部５０Ｂ）、取得部５１、補正部５２、設定部５３、断層画像生成部５４、校正部１００といった各種の処理を実行する処理部（Ｐｒｏｃｅｓｓｉｎｇ  Ｕｎｉｔ）のハードウェア的な構造としては、次に示す各種のプロセッサ（Ｐｒｏｃｅｓｓｏｒ）を用いることができる。各種のプロセッサには、ソフトウェアを実行して各種の処理部として機能する汎用的なプロセッサであるＣＰＵに加えて、ＦＰＧＡ（Ｆｉｅｌｄ  Ｐｒｏｇｒａｍｍａｂｌｅ  Ｇａｔｅ Ａｒｒａｙ）等の製造後に回路構成を変更可能なプロセッサであるプログラマブルロジックデバイス（Ｐｒｏｇｒａｍｍａｂｌｅ  Ｌｏｇｉｃ  Ｄｅｖｉｃｅ:ＰＬＤ）、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）等の特定の処理を実行させるために専用に設計された回路構成を有するプロセッサである専用電気回路等が含まれる。
【０１２８】
１つの処理部は、これらの各種のプロセッサのうちの１つで構成されてもよいし、同種または異種の２つ以上のプロセッサの組み合わせ（例えば、複数のＦＰＧＡの組み合わせ、ＣＰＵとＦＰＧＡとの組み合わせ）で構成されてもよい。また、複数の処理部を１つのプロセッサで構成してもよい。
【０１２９】
複数の処理部を１つのプロセッサで構成する例としては、第１に、クライアントおよびサーバ等のコンピュータに代表されるように、１つ以上のＣＰＵとソフトウェアの組み合わせで１つのプロセッサを構成し、このプロセッサが複数の処理部として機能する形態がある。第２に、システムオンチップ（Ｓｙｓｔｅｍ  Ｏｎ  Ｃｈｉｐ:ＳｏＣ）等に代表されるように、複数の処理部を含むシステム全体の機能を１つのＩＣ（Ｉｎｔｅｇｒａｔｅｄ  Ｃｉｒｃｕｉｔ）チップで実現するプロセッサを使用する形態がある。このように、各種の処理部は、ハードウェア的な構造として、上記各種のプロセッサの１つ以上を用いて構成される。
【０１３０】
さらに、これらの各種のプロセッサのハードウェア的な構造としては、より具体的には、半導体素子等の回路素子を組み合わせた電気回路（Ｃｉｒｃｕｉｔｒｙ）を用いることができる。
【０１３１】
以上の記載から、以下の付記項１に記載の発明を把握することができる。
【０１３２】
［付記項１］
被写体を透過した放射線を検出する放射線検出器であり、前記被写体の投影画像を撮像する撮像面を有する放射線検出器と、
前記撮像面に対する前記放射線の照射角度が異なる複数の位置に配された複数の放射線管で構成される放射線源と、
前記被写体の厚みに応じた、前記放射線検出器に到達する前記放射線の到達線量の前記照射角度による変化割合を示す第１係数であり、前記複数の放射線管毎に登録された第１係数を取得する取得プロセッサと、
前記第１係数を用いて前記放射線の照射条件を補正する補正プロセッサと、
前記補正プロセッサにおいて補正された前記照射条件を前記放射線源に設定する設定プロセッサと、
を備えるトモシンセシス撮影装置。
【０１３３】
本開示の技術は、上述の種々の実施形態と種々の変形例を適宜組み合わせることも可能である。また、上記各実施形態に限らず、要旨を逸脱しない限り種々の構成を採用し得ることはもちろんである。さらに、本開示の技術は、プログラムに加えて、プログラムを非一時的に記憶する記憶媒体にもおよぶ。
【０１３４】
以上に示した記載内容および図示内容は、本開示の技術に係る部分についての詳細な説明であり、本開示の技術の一例に過ぎない。例えば、上記の構成、機能、作用、および効果に関する説明は、本開示の技術に係る部分の構成、機能、作用、および効果の一例に関する説明である。よって、本開示の技術の主旨を逸脱しない範囲内において、以上に示した記載内容および図示内容に対して、不要な部分を削除したり、新たな要素を追加したり、置き換えたりしてもよいことはいうまでもない。また、錯綜を回避し、本開示の技術に係る部分の理解を容易にするために、以上に示した記載内容および図示内容では、本開示の技術の実施を可能にする上で特に説明を要しない技術常識等に関する説明は省略されている。
【０１３５】
本明細書に記載された全ての文献、特許出願および技術規格は、個々の文献、特許出願および技術規格が参照により取り込まれることが具体的かつ個々に記された場合と同程度に、本明細書中に参照により取り込まれる。
【符号の説明】
【０１３６】
１０  乳房撮影装置
１１、１５１  装置本体
１２  制御装置
１３  ネットワーク
１４  画像データベースサーバ（画像ＤＢサーバ）
１５  端末装置
２０  スタンド
２０Ａ  台座
２０Ｂ  支柱
２１、１５２  アーム
２１Ａ  接続部
２２、１５４  線源収容部
２３、１５５  検出器収容部
２４、１５６  本体部
２５、１５７  放射線源
２６、１５８  放射線検出器
２７、１５９  放射線管
２７Ｐ  プレ撮影用放射線管
２８、１６２  ハウジング
２９  圧迫板
３０  フェイスガード
３３  測定センサ
３５  陰極
３６  陽極
３７  放射線
３８  ガラス管
３９  放射線透過窓
４０  照射野限定器
４１  遮蔽板
４５、１６０  撮像面
５０  制御部
５０Ａ  プレ撮影制御部
５０Ｂ  トモシンセシス撮影制御部
５１  取得部
５２  補正部
５３  設定部
５４  断層画像生成部
５５  ストレージデバイス
６０  第１係数テーブル
６１  第２係数テーブル
６２  作動プログラム（トモシンセシス撮影装置の作動プログラム）
６３  ＣＰＵ
６４  メモリ
６５  ファントム
７０  線量計
７０Ａ  電離箱
７０Ｂ  円柱型半導体線量計
７５  冶具
７６  底板
７７  天板
７８  取付穴
７９  側板
８０  表
９０  実測初期出力値テーブル
１００  校正部
１０１  校正第２係数テーブル
１５０  撮影装置
１５３  台車
１６１  寝台
ＣＰ  撮像面の辺の中心点
Ｄ  焦点の間隔
ＥＢ  電子線
Ｆ、Ｆ１〜Ｆ１５  放射線の焦点
ＧＬ  焦点の位置が設定される直線
Ｈ  被検者
Ｋｆｐ  第１係数
Ｋｍｄ  第２係数
Ｌ、Ｌ１、Ｌ１５  焦点と中心点とを結んだ線
Ｍ  乳房（被写体）
ＭＳＤｐ  実測基準出力値
ＭＴＤｐ  実測対象出力値
ＮＲ  撮像面の辺の中心点から延びる撮像面の法線
ＰＢ  プレ撮影用ｍＡｓ値
ＰＤｆ０  予め設定されたプレ撮影用の照射条件
ＳＰ、ＳＰ１〜ＳＰ１５  放射線管の位置
ＳＴ１０、ＳＴ１１、ＳＴ１００、ＳＴ１１０、ＳＴ１２０、ＳＴ１３０、ＳＴ２００、ＳＴ２１０、ＳＴ２２０、ＳＴ２３０、ＳＴ２４０、ＳＴ２５０、ＳＴ２６０、ＳＴ２７０、ＳＴ２８０、ＳＴ２９０、ＳＴ３００、ＳＴ５００、ＳＴ５１０、ＳＴ６００、ＳＴ６１０、ＳＴ６２０、ＳＴ６３０  ステップ
Ｔ、Ｔ１〜ＴＮ  断層画像
ＴＢ  トモシンセシス撮影用ｍＡｓ値
ＴＢ＿Ｐ  仮のトモシンセシス撮影用ｍＡｓ値
ＴＤｆ０  仮設定されたトモシンセシス撮影用の照射条件
ＴＦ、ＴＦ１〜ＴＦＮ  断層面
Ｔｈ  圧迫厚（被写体の厚み）
ＴＳＤｐ  理論基準出力値
ＴＴＤｐ  理論対象出力値
θ  放射線の照射角度
Ψ  トモシンセシス撮影の最大スキャン角度
【図１】
2020135973.tif 000003
【図２】
2020135973.tif 000004
【図３】
2020135973.tif 000005
【図４】
2020135973.tif 000006
【図５】
2020135973.tif 000007
【図６】
2020135973.tif 000008
【図７】
2020135973.tif 000009
【図８】
2020135973.tif 000010
【図９】
2020135973.tif 000011
【図１０】
2020135973.tif 000012
【図１１】
2020135973.tif 000013
【図１２】
2020135973.tif 000014
【図１３】
2020135973.tif 000015
【図１４】
2020135973.tif 000016
【図１５】
2020135973.tif 000017
【図１６】
2020135973.tif 000018
【図１７】
2020135973.tif 000019
【図１８】
2020135973.tif 000020
【図１９】
2020135973.tif 000021
【図２０】
2020135973.tif 000022
【図２１】
2020135973.tif 000023
【図２２】
2020135973.tif 000024
【図２３】
2020135973.tif 000025
【図２４】
2020135973.tif 000026
【図２５】
2020135973.tif 000027
【図２６】
2020135973.tif 000028
【図２７】
2020135973.tif 000029
【図２８】
2020135973.tif 000030
【図２９】
2020135973.tif 000031
【図３０】
2020135973.tif 000032
【図３１】
2020135973.tif 000033
【図３２】
2020135973.tif 000034
【図３３】
2020135973.tif 000035
【図３４】
2020135973.tif 000036